(57)【要約】      （修正有）【課題】自動車用安全システム及び方法に関し、特に自動車乗員とエアバッグとの間の間隙を考慮に入れた自動車用エアバッグシステムを提供する。【解決手段】自動車用エアバッグ装置は、エアバッグ８と自動車１の乗員室内に装着されたシート２を具えている。このシート２は第１軸に沿ってエアバッグ８に対して最前部位置と最後部位置との間で調節可能である。最前部位置は、エアバッグ８とシート２に座っている乗員との間の距離Ａが最小安全間隙に等しい位置である。エアバッグ８はハンドル６かダッシュボードのいずれかに関して固定的に位置決めされる。自動車の制御ペダル４は、位置調節機構１4によってシート２対して調節可能である。【選択図】図１Ａ
2010173640.tif 000002
【特許請求の範囲】
【請求項１】
第１エアバッグと、第１シートとを具備する自動車安全装置において：
該第１エアバッグは自動車の乗員室内に装着されていて；
該第１シートは該乗員室内に装着されており、該第１シートは第１シート位置調節機構によって自動車のフレームに動き得るように連結され、該第１シート位置決め機構は、第１軸に沿って第１エアバッグに対して第１シートを最前部位置と最後部位置との間で移動させることができ、
該最前部位置は該第１シートの位置として規定され、第１シートに座った乗員と第１エアバッグとの間の距離が最小安全間隙に等しくて、該最前部位置からの該第１シートの変位が第１シートと第１エアバッグとの間の距離を増大させており；
該第１エアバッグは、運転者用のハンドルアセンブリと、運転者以外の乗員用のダッシュボード装置とのいずれか一方に対して固定的に位置決めされる；自動車安全装置。
【請求項２】
該第１シートが運転者のシートであり、該自動車が、乗客室において該第１シートの前方に位置決めされた少なくとも一つの自動車制御用ペダルを具え、該自動車安全装置が、更に該少なくとも一つのペダルを該第１シートに対して前後に移動させるためのペダル位置調節機構を具えている、請求項１に記載の自動車安全装置。
【請求項３】
該ペダル位置調節機構が、少なくとも一つのペダルが回転可能に装着されるペダル取付け部を具え、該ペダル取付け部は該乗員室内にスライド可能に取付けられていて、従って該少なくとも一つのペダルが該第１軸に実質的に平行なペダル調節軸に沿って、最前部位置と最後部位置との間でスライドするようになっている、請求項２に記載の自動車安全装置。
【請求項４】
該最前部位置において、該第１シートの背もたれが、該最小安全間隙に成人の胸の厚さを加えた値に等しい距離だけ該第１エアバッグから離れている、請求項２に記載の自動車安全装置。
【請求項５】
該自動車安全装置が、該第１シートに座った乗員と該第１エアバッグとの間の距離に基づいて該最前部位置を規定するための位置規定装置と共に使用され、該自動車安全装置は、更に該距離を求めてこれを該位置規定装置に提供するための距離センサーを具えている、請求項２に記載の自動車安全装置。
【請求項６】
第２シートと第２エアバッグとを更に具備していて：
該第２シートは該乗員室内に装着され、該第２シートは第２シート位置調節機構によって自動車のフレームに動き得るように連結され、該第２シート位置調節機構は該第２シートが該第１軸に平行な第２軸にそって最前部位置と最後部位置との間を動くことを可能にしており；
該第２エアバッグは、該乗員室の内部において、該第２シートの該最前部位置の前方に装着されていて；
該第２シートの該最前部位置は該第２シートの位置として規定され、該第２シートに座った乗員と該第２シートとの間の距離は最小安全間隙に等しい；請求項２に記載の自動車安全装置。
【請求項７】
該第１シートが運転者のシートであり、該第１エアバッグが自動車のハンドルに装着されており、自動車は、ペダル取付け部に可動に接続された少なくとも一つの自動車制御ペダルを具えていて、該ペダル取付部は該自動車に可動に取りつけられており、従って該少なくとも一つの自動車制御ペダルは、該第１シートに対して遠近方向に動くようになっている、請求項１に記載の自動車安全装置。
【請求項８】
ケーブルを更に備えていて；
該ケーブルは、自動車制御装置のアクチュエーターに接続された第１端から延びて、第１及び第２プーリーアセンブリを周回して第２端まで達していて、該ケーブルの該第２端は係止部材に接続され、該第１プーリーアセンブリは該ペダル取付け部に回転可能にかつ可動に連結された第１プーリーを具え、該第２プーリーアセンブリは該ペダル取付け部に回転可能にかつ可動不能に連結された第２プーリーを具えている、請求項７に記載の自動車安全装置。
【請求項９】
第１シートと、第１エアバッグと、ペダル取付部と、少なくとも一つの自動車制御ペダルと、ケーブルと、当接部材とを具備する自動車安全装置において：
該第１シートは乗員室内に装着されていて、該第１シートは第１シート位置調節機構によって自動車のフレームに動き得るように連結され、該第１シート位置決め機構は、第１軸に沿って第１エアバッグに対して第１シートを最前部位置と最後部位置との間で移動させることができ；
該第１エアバッグは、該乗員室内において、該第１シートの最前部位置の前方に設けられていて、該最前部位置は、該第１シートの位置として規定され、該第１シートに座った乗員と該第１エアバッグとの間の距離が最小安全間隙に等しくなっており；
該少なくとも一つの自動車制御ペダルは、該ペダル取付け部に可動に連結され、該ペダル取付け部は、該少なくとも一つの自動車制御ペダルが該第１シートに対して遠近方向に動くように、自動車に可動に取付けられていて；
該ケーブルは、自動車制御装置のアクチュエーターに接続された第１端から延びて、第１及び第２プーリーアセンブリを周回して第２端まで達っしていて、該ケーブルの該第２端は係止部材に接続され、該第１プーリーアセンブリは該ペダル取付け部に回転可能にかつ可動に連結された第１プーリーを具え、該第２プーリーアセンブリは該ペダル取付け部に回転可能にかつ可動不能に連結された第２プーリーを具えており；
該当接部材は、該少なくとも一つのペダルに連結され、該第１プーリーアセンブリに当接しているので、該ペダルが作動する際に該第１プーリーが該ペダル取付け部に対して移動して、対応する力を該ケーブルに付与し、該自動車制御装置の該アクチュエーターを作動させていて；
該第１シートは運転者のシートであり、該第１エアバッグは自動車のハンドルに装着されている；自動車安全装置。
【請求項１０】
該第１シート位置調節機構が、第１モーターと、該第１モーターに接続されたシート位置スイッチとを具えていて、従って該シート位置スイッチが作動すると該第１シートが対応する運動を起こすようになっている、請求項１に記載の自動車安全装置。
【請求項１１】
更に、該第１モーターと該シートスイッチとの間に接続されたコンピューター、及び
該第１シートに座った乗員と該第１エアバッグとの間の距離を検出する該コンピュータに接続された距離センサーを具備していて；
該コンピュータは該第１シートの最前部位置の場所を求めているので、該第１シートが最前部位置に或る場合に、該第１シートに座っている乗員と該第１エアバッグとの間の距離が該最小安全間隙に等しくなるようになっていて、そして、該コンピュータは、該第１シートが最前部位置に達すると、該第１モーターの作用を停止させる；請求項１０に記載の自動車安全装置。
【請求項１２】
更に、少なくとも一つの自動車制御ペダルが装着されているペダル取付け部と、該ペダル取付け部に連結された第２モーターとを具えていて；該第１シートが最前部位置にある場合に、該シート位置スイッチが作動して該第１シートを前進させようとすると、該コンピュータが該第２モーターを作動させて、該ペダル取付け部を該第１シートの方に移動させる；請求項１１に記載の自動車安全装置。
【請求項１３】
更に、ペダルスイッチを具え、該ペダルスイッチの作用が該ペダル取付け部の対応する動きを起こさせる、請求項１１に記載の自動車安全装置。
【請求項１４】
更に、好ましい第１シート位置とペダル取付け部位置が記憶されているメモリーを具えている、請求項１２に記載の自動車安全装置。
【請求項１５】
更に、該第１シートに連結されてこれを垂直に移動させる第３モーターを具えている、請求項１１に記載の自動車安全装置。
【請求項１６】
更に、該第１シートの乗員の目の高さを感知する高さセンサーを具え、該高さセンサーは該コンピュータと連結され、該コンピュータは、最適な目の高さが得られるまで該第３モーターを制御して該第１シートを垂直に動かす、請求項１５に記載の自動車安全装置。
【請求項１７】
該シート位置調節機構はレバーを具え、該レバーが第１位置にある場合には該第１シートが前後に動くことを防止し、第２位置にある場合には該第１シートを解放して該第１シートが該第１シートに座っている乗員によって前後に移動できるようになっている、請求項１に記載の自動車安全装置。
【請求項１８】
該距離センサーが、該第１シートに座っている乗員が該最小安全間隙内に侵入したことを示すと、該コンピュータが該第１エアバッグの作用を制御して、縮小間隙モードにする、請求項１１に記載の自動車安全装置。
【請求項１９】
該縮小間隙モードの場合、該コンピュータは該第１エアバッグの展開を禁止する、請求項１８に記載の自動車安全装置。
【請求項２０】
該縮小間隙モードの場合、該コンピュータは該第１エアバッグの膨張圧力を減らす、請求項１８に記載の自動車安全装置。
【請求項２１】
該縮小間隙モードの場合、該コンピュータは該エアバッグの段階的膨張を指令する、請求項１８に記載の自動車安全装置。
【請求項２２】
更に、少なくとも一つのペダルと共に使用するペダル取付け部を具えていて：
該ペダル取付け部は、
第１ギア付き部材及び第２ギア付き部材と、ギア付きホイールと、プッシュロッド或いは牽引ケーブルのいずれか一方とを含んでおり；
該第１ギア付き部材と第２ギア付き部材との一方は可動ギア付き部材であり；
該ギア付きホイールは、該少なくとも一方のギア付き部材に回転不能に連結され、該第１ギア付き部材と第２ギア付き部材の間に受け入れられていて、従って該ギア付きホイールの回転が該可動ギア付き部材に対応する動きを与えるようになっていて；
該プッシュロッド或いは牽引ケーブルのいずれか一方が、該可動ギア付き部材と自動車制御装置のアクチュエーターとの間に連結され、該少なくとも一つのペダルと共に使用されている；請求項１に記載の自動車安全装置。
【請求項２３】
複数のペダルが該ペダル位置調節機構に連結され、従って、該ペダルの位置が調節されると、ペダル相互間の所定の位置決めが維持される、請求項２に記載の自動車安全装置。
【請求項２４】
更に、該第１シートに連結されて、該第１シートを垂直に動かすモーターを具えている、請求項１に記載の自動車安全装置。
【請求項２５】
更に、該第１シートの乗員の目の高さを感知する高さセンサーと；
該モーターを制御して、最適な目の高さが得られるまで該第１シートを垂直に動かすシート位置コントローラーとを具えている；請求項２４に記載の自動車安全装置。
【請求項２６】
更に、乗員の目の高さに対応する該第１シートに座っている乗員の一部の位置を検出する高さセンサーを具えている、請求項１に記載の自動車安全装置。
【請求項２７】
更に、該高さセンサーからのデータに基づいて作動し、該第１シートの高さを調節して、該第１シートに座っている乗員の最適な目の高さを得る垂直運動用モーターを具えている、請求項２６に記載の自動車安全装置。
【請求項２８】
更に、該第１シートに座っている乗員と該第１エアバッグとの間の距離に対応する該乗員の位置を感知する距離センサーを具えている、請求項１に記載の自動車安全装置。
【請求項２９】
更に、該距離センサーからのデータに基づいて作動して、該距離センサーが該第１シートが最前部位置にあることを示すまで、該第１軸に沿って該第１シートを動かす水平運動用モーターを具えている、請求項２８に記載の自動車安全装置。
【請求項３０】
更に、乗員に人の最前部位置を選ばせることのできるオーバーライドスイッチを具えていて、従って該第１シートが人の最前部位置にある場合に、該第１シートの更なる前方への動きを要求する該シート位置スイッチの動作が、該ペダルの後方への動きを開始する、請求項１２に記載の自動車安全装置。
【請求項３１】
更に、該距離センサーに接続された乗員通報装置を具え、乗員が該最小安全間隙内で前方に動いた場合、該乗員通報装置が、最小安全間隙が侵害されたことを該乗員に知らせる、請求項５に記載の自動車安全装置。
【請求項３２】
自動車内に装着されたエアバッグと、該エアバッグにより保護する自動車乗員との間に最小安全間隔を維持する方法であって、該自動車は該エアバッグに対して遠近方向に動かされるシートを具えている該方法において、該方法が：
該エアバッグの方への該シートの動きを制限する段階であって、最前部位置を超える該シートの動きを防いで、該最前部位置において、該シートに座った該乗員が所定の最小安全間隙だけ該エアバッグから離れるようになっている、シートの動きを制限する段階と；
該シートと該少なくとも一つのペダルと間に所望の距離を設けるために、少なくとも一つの自動車制御ペダルの位置を調節する段階とを含んでいて；
該エアバッグは、運転者用ハンドルアセンブリと該運転者以外の乗員用ダッシュボード装置の一方に関して固定的に位置決めされている；方法。
【請求項３３】
該自動車はコンピュータと、該シートに座った乗員と該エアバッグとの間の距離を検出するセンサーと、該シートを該エアバッグに対して遠近方向に動かすシート用モーターとを具え、該シートに座った乗員と該エアバッグとの間の該距離が該最小安全間隙に等しいことを該センサーが示した場合に、該シートの動きを制限する段階が、該シートモーターの更なる前進作用を禁止する該コンピュータによって行われる、請求項３２に記載の方法。
【請求項３４】
該自動車が、該少なくとも一つのペダルを該シートに対して遠近方向に動かすためのペダル用モーターを更に具え、該方法が更に、
該シートを該最前部位置に保ったまま、該ペダルをシートに対して遠近方向に動かすために、該ペダル用モーターを作動させる段階を含んでいる、請求項３３に記載の方法。
【請求項３５】
更に、該シートに座った乗員が該最小安全間隙を侵害していることを該センサーが示した場合に、該エアバッグの展開を禁止する段階を含んでいる、請求項３３に記載の方法。
【請求項３６】
更に、該シートに座った乗員が該最小安全間隙を侵害していることを該センサーが示した場合に、該エアバッグの膨張速度を減少させる段階を含んでいる、請求項３３に記載の方法。
【請求項３７】
更に、該シートに座った乗員が該最小安全間隙を侵害していることを該センサーが示した場合に、該エアバッグを段階的に膨張させる段階を含んでいる、請求項３３に記載の方法。
【請求項３８】
該自動車が、衝突が起こったかどうかを決める衝突検出手段を具え、該方法が：
更に、該衝突検出手段からの入力に呼応して自動車を衝突後モードにする段階を具えていて；
該衝突モードは、
自動車のエンジンを停止する副次的段階、
自動車のドアのロックを解除する副次的段階、
自動車の窓を降下させる副次的段階、
又は援助を求める自動車用通信装置を作動させる副次的段階の少なくとも一つの副次的段階を具えている、請求項３３に記載の方法。
【請求項３９】
該第１エアバッグが、該自動車のハンドルに取り付けられている、請求項１に記載の自動車安全装置。
【請求項４０】
自動車の乗客室内に装着されている第１エアバッグと第１シートと共に使用するための自動車エアバッグミニマムエンフォースメント装置であって；
該第１シートを該自動車に対して動き得るようにするために、かつ第１軸に沿って第１エアバッグに対して第１シートを最前部位置と最後部位置との間で移動させることを可能とするために、第１シート位置決め機構を具備する装置において：
該最前部位置は該第１シートの位置として規定され、第１シートに座った乗員と第１エアバッグとの間の距離が最小間隙距離に等しくて、該最前部位置からの該第１シートの変位が第１シートと第１エアバッグとの間の距離を増大させており；
該第１エアバッグは、運転者用のハンドルアセンブリと、運転者以外の乗員用のダッシュボード装置とのいずれか一方に対して固定的に位置決めされる；装置。
【請求項４１】
該最小間隙距離が、該第１シートの背もたれの標準線と乗員の所定の突出との間の距離である、請求項４０に記載の装置。
【請求項４２】
該乗客の該所定の突出が固定距離である、請求項４１に記載の装置。
【請求項４３】
乗員の実際の突出を測定するために乗員の突出測定装置をさらに具備していて；該所定の突出が該実際の突出である、請求項４１に記載の装置。
【請求項４４】
該乗員の突出測定装置が、引出されたシートベルトの長さに基づいた該乗員の実際の突出を測定するべく作動可能である、請求項４３に記載の装置。
【請求項４５】
自動車の乗客室内に装着されている第１エアバッグと第１シートと共に使用するための自動車エアバッグミニマムエンフォースメント装置であって；
該第１シートを該自動車に対して動き得るようにするために、かつ第１軸に沿って第１エアバッグに対して第１シートを最前部位置と最後部位置との間で移動させることを可能とするために、第１シート位置決め機構を提供するための手段を具備する装置において：
該最前部位置は該第１シートの位置として規定され、第１シートに座った乗員と第１エアバッグとの間の距離が最小間隙距離に等しくて、該最前部位置からの該第１シートの変位が第１シートと第１エアバッグとの間の距離を増大させており；
該第１エアバッグは、運転者用のハンドルアセンブリと、運転者以外の乗員用のダッシュボード装置とのいずれか一方に対して固定的に位置決めされる；装置。
【請求項４６】
該最小間隙距離が、該第１シートの背もたれの標準線と乗員の所定の突出との間の距離である、請求項４５に記載の装置。
【請求項４７】
該乗客の該所定の突出が固定距離である、請求項４６に記載の装置。
【請求項４８】
乗員の実際の突出を測定するための手段をさらに具備している、請求項４６に記載の装置。
【請求項４９】
該乗員の実際の突出を測定するための手段が、引出されたシートベルトの長さに基づいた該乗員の実際の突出を測定するべく作動可能である、請求項４８に記載の装置。
【発明の詳細な説明】
【技術分野】
【０００１】
本発明は自動車用安全システム及び方法に関し、特に自動車乗員とエアバッグとの間の間隙を考慮に入れた自動車用エアバッグシステムに関する。
【背景技術】
【０００２】
エアバッグを装備した自動車は乗員の安全性を高めることが統計上示されているが、特定の状況下ではエアバッグは乗員の怪我の原因となり、そして或る場合には死をもたらすとも云われている。理解されているように、特に低速事故においては死はエアバッグに帰せられ、且つエアバッグは高速事故による死の要因でもある。
【０００３】
これらの惨事の或るものは、エアバッグと運転者との間の距離が安全な間隙より短くなるようにシートの位置を調節する背の低い運転者（特に、例えば約５フィート０インチ以下の身長の運転者）に関連している。約５フィート０インチより背の高い運転者も最小安全間隙以内に自らを位置決めすることがあり、この位置決めは運転者の身長に無関係に危険を招く。或るシステムにおいては、種々の大きさの運転者のためのすべての調節をシートの移動によって行っているが、背の低い運転者は背の高い運転者よりもハンドル（及びそれに装備されているエアバッグ）に近く位置決めされる場合がある。上述したように、このことは背の低い運転者（例えば約５フィート０インチ以下の身長の運転者）のみならず、ハンドルに接近して座ることを選んだ背の高い運転者も、共に安全間隙以内に位置決めさせる結果をもたらす。使用されるエアバッグによって、安全間隙は異なる場合がある。一般的に、運転者とエアバッグとの間に約１０インチの間隙があれば、エアバッグシステムのマイナス効果の少なくとも幾つかを解消するのに充分であると信じられている。
【０００４】
自動車のシートは、成人の脚の長さの範囲を収容するのに充分な距離、例えば約８インチを隔てた最後部位置と最前部位置の間での運転者シートの調節を可能にしている。成人の腕と胴の長さにおける差はそれほど重要ではないので、これらシステムは脚の長さの差に着目しているものと思われる。
【０００５】
したがって、従来のシステムにおいてペダルを操作するのに、背の低い成人はシートを前方に、しばしば最前部位置まで移動させる必要があり、一方、背の高い成人の一部もシートを安全間隙を越えて移動させることを選んでいた。これは、運転者の胸部、頭部とエアバッグが装備されているハンドルとの間の対応する距離を短くしてしまう。こうして、シートが最前部位置にあると、運転者はハンドルから必要な最小安全間隙より短い距離しか離れていないことになる。この問題は、運転者が最小安全間隙より接近して位置した時を求め、次いでエアバッグの作動を調整或いは中止するシステムによって解決された。従来システムは、間隙が安全でない場合にエアバッグを不作動にすることに加えて、エアバッグの膨張速度を遅くし或いはエアバッグを段階的に膨張させていた。
【０００６】
他の関心分野は、膨張の少ないバッグの適宜な使用と衝突後の脱出及び救護作用である。シートベルト、ドアの自動ロック及び電動窓は、激しい衝突、横転或いは自動車が浸水した場合に頼りになる。
しかし、コンピュータ化された安全性の自動化と衝突後の脱出は、それがこれらの事項に関連しているのに充分な注意が払われていなかったものと信じられている。むしろ、企業の努力は、脱出を助けるための自動車用安全アクセサリとして市販されている「窓点状破壊用ハンマー」などの手動装置に向けられていた。
【発明の概要】
【発明が解決しようとする課題】
【０００７】
本発明は自動車用安全システム及び方法に関し、特に自動車乗員とエアバッグとの間の間隙を考慮に入れた自動車用エアバッグシステムを提供するものである。
【課題を解決するための手段】
【０００８】
本発明の実施例及び／又は方法は、自動車の乗員室内に装備されたシートを具えた自動車安全装置に関するものであり、このシートは、シートを軸に沿って最前部位置と最後部位置との間で動かすことができるシート位置調節機構によって自動車のフレームに可動に連結されている。シートの最前部位置の前方に乗員室内にエアバッグが装備されており、このシートの最前部位置とは、シートに座った乗員とエアバッグとの間の距離が最小安全間隙に等しいシートの位置として規定されている。
【０００９】
本発明の実施例及び／又は方法は、自動車に装着されたエアバッグと自動車の乗員との間の最小安全間隙を維持する方法に関するものであり、この方法は、最前部位置において、シートに座った乗員がエアバッグから所定の最小安全間隙だけ離れている時に、最前部位置を超えてシートがエアバッグの方に動くことを防止し、少なくとも一つの自動車制御用ペダルのための位置調節機構を設けて、シートに座った乗員が少なくとも一つのペダルをシートに対して遠近方向に動かすことによって、シートと少なくとも一つのペダルとの間の距離を調節するステップを具えている。
【００１０】
本発明の実施例及び／又は方法は、乗員室内に設けられたシートを具えた自動車安全装置に関するものであり、このシートはシートを軸に沿って最前部位置と最後部位置との間で動かすことができるシート位置調節機構によって自動車のフレームに可動に連結されている。シートの最前部位置の前方には、乗員室内にエアバッグが装備されており、シートの最前部位置とは、シートに座った乗員とエアバッグとの間の距離が最小安全間隙に等しくなるシートの位置として規定されている。更に、自動車に装備されたエアバッグと自動車乗員との間の最小安全間隙を維持する一方法は、最前部位置にある場合にはシートに座った乗員がエアバッグから所定の最小安全間隙を隔てて離れるように、最前部位置を超えてエアバッグをシートの方に動かすことを防止し、少なくとも一つの自動車制御ペダルのための位置調節機構を設けて、シートに座った乗員が、少なくとも一つのペダルをシートに対して遠近方向に動かすことによって、シートと少なくとも一つのペダルとの間の距離を調節できるようにしている。シートとエアバッグとの間の距離と目の高さの両方を考慮に入れたシート自動位置決めシステムが、乗員を最適に位置決めして安全性と快適性を最大のものにするのに用いられる。
【図面の簡単な説明】
【００１１】
【図１Ａ】本発明の第１実施例にかかる自動車安全システムを具えた自動車の室内の運転者側の図。
【図１Ｂ】本発明の第１実施例にかかる自動車安全システムを具えた自動車の室内の同乗者側の図。
【図２】本発明の第１実施例に使用される第１のペダル位置調節装置の部分断面側面図。
【図３】本発明の第１実施例に使用される第２のペダル位置調節装置の部分断面側面図。
【図４Ａ】図３のペダル位置調節装置の部分断面正面図。
【図４Ｂ】モーター・ウォームギア装置を具えた図３のペダル位置調節装置の部分断面正面図。
【図５】本発明の第１実施例に使用される第３のペダル位置調節装置の部分断面側面図。
【図６】本発明の実施例及び／又は方法によるコンピュータ制御の自動車安全システムのダイアグラム。
【図７Ａ】本発明の第１実施例に使用される第４のペダル位置調節装置の部分断面側面図。
【図７Ｂ】本発明の第１実施例に使用される別の第４のペダル位置調節装置の部分断面側面図。
【図８】図７Ａ及び／又は図７Ｂに垂直な平面における図７Ａ及び／又は図７Ｂのペダル位置調節機構の断面図。
【図９】図２、３、５及び６の実施例に使用されるモーター・ウォームギア装置の側面図。
【図１０Ａ】自動車シートに関する腰ベルトと肩ベルトの経路を示す図。
【図１０Ｂ】自動車シートに座る人の突出量即ち厚さを求めるのに使用される腰ベルト又は肩ベルトの経路の展開図。
【図１１】図１２Ｃから図１２Ｆまでの方法又はプログラムを使用する運転者自動位置決めの方法又はプログラム＃７。
【図１２Ａ】手動制御式シートスライドスイッチ又はコントローラ装置を使用する人によって自動車シートを移動させる方法（プログラム＃１）。
【図１２Ｂ】手動制御式シートスライドスイッチ又はコントローラ装置を使用する人によって自動車シートを移動させる方法（プログラム＃２）。
【図１２Ｃ】手動制御式シートスライドスイッチ又はコントローラ装置を使用する人によって自動車シートを移動させる方法（プログラム＃３）。
【図１２Ｄ】手動制御式シートスライドスイッチ又はコントローラ装置を使用する人によって自動車シートを移動させる方法（プログラム＃４）。
【図１２Ｅ】手動制御式シートスライドスイッチ又はコントローラ装置を使用する人によって自動車シートを移動させる方法（プログラム＃５）。
【図１２Ｆ】手動制御式シートスライドスイッチ又はコントローラ装置を使用する人によって自動車シートを移動させる方法（プログラム＃６）。
【発明を実施するための形態】
【００１２】
図１Ａは、シート２上に位置する運転者はシート２の位置を、距離Ｘだけ離れた最後部位置と最前部位置との間の所望の位置に調節する本発明の一実施例によるシステムを示す。そして、運転者は快適にペダル４（アクセル、ブレーキ、クラッチ等）に到達することができる。本発明の実施例及び／又は例示される方法による自動車用安全装置には、すべての適宜な手動又は自動シート位置決め機構を採用することができる。例えば、シート位置調節機構は、第１位置においてシート２が前後に動くことを防止し、第２位置においてシート２を解放して、シート２がシート２に座った乗員によって前後に動けるようにしたレバー１１を具えている。
【００１３】
本発明の実施例による自動車用安全システムは、運転者とエアバッグ８との間の距離Ａが少なくとも最小安全間隙になるように、ハンドル６又はエアバッグ８の展開点の方へのシート２の動きを制限するものである。運転者とペダル４との間の距離を更に減少させる必要があれば、その後、プットペダル４の位置の後方への調節によってそれが得られる。
【００１４】
運転者は、胸の厚さと腕の長さにおける比較的小さい違いに対してはシート２の位置を少し調節することによって対処し得るとともに、ペダル４の位置の調節によって脚の長さの違いを受入れるのに必要なより大きな調節が可能となる。
【００１５】
最小安全間隙に成人の胸の厚さの最小値（例えば約２０．３cm（約８インチ））を加えたものに等しい距離まで、ハンドル６の中心の方に向かうシートの後方移動を制限することによって、最小安全間隙が維持される。こうして、最小安全間隙の２５．４cm（１０インチ）に成人の最小胸厚の２０．３cm（８インチ）を加えて、シートの背もたれがハンドル１５．２cm（６インチ）から４５．７cm（１８インチ）離れた地点を通って前進しないように、シート２の動きが防がれる。このシステムでは、脚の長さの大きな違いを受入れるためにペダル位置の調節が可能なので、シートの最前部位置と最後部位置との間の差異は、胸の厚さと腕の長さの小さな差異のためだけの約６．３５cm（約２ 1/2インチ）まで減らすことが可能である。そして、フットペダル４の最前部位置と最後部位置との間で１５．２cm（６インチ）の調節ができるので、この自動車の運転者は、以前のシステムにおいて設けられていた量に匹敵する運転者とペダル４との間の距離の全調節量を利用することができる。運針者とハンドル６との間の距離が例示として挙げられているが、重要なのは自動車の搭乗者（運転者又は乗員）とエアバッグのカバーとの間の距離だけであり、これは図１Ａの運転者用エアバッグが装備されているハンドルからの距離Ａ及び図１Ｂの乗員用エアバッグが装備されているダッシュボードからの距離Ａ’である。
【００１６】
図２はシート位置の手動調節に使用される機構と同様に作動するペダル位置調節のための手動システムを示している。レバー１２が解放位置まで動かされると、自動車１のフレームとペダル４との間を結ぶペダルスライド機構１４が非ロック状態に解放され、この状態において、ペダルスライドハウジング１８、即ちペダル４は自動車のダッシュボード１６（図１）に対して所望の位置まで前方にスライドする。レバー１２が解放位置からロック位置まで移動すると、ペダルスライド端１８はこの所望の位置にロックされる。勿論、レバー１２は、スプリングなどによってロック位置の方に付勢されて、解放されると自動的にロック位置に復帰するようにしてもよい。必要に応じて、個々のペダル４は別々のペダルスライド機構１４に取付けられて、各ペダル４が最適位置に調節できるようにしてもよい。或いは、ペダル４同士を一緒に結合して前後に移動可能として、ペダル４同士の所定の相対位置決めが維持されるようにしてもよい。
【００１７】
図２のペダル４は、ペダルバー２２の上方延長部２４を有する車軸２０を中心に回転可能にスライドハウジング１８に結合されている。この上方延長部２４は、スライドハウジング１８に形成されたチャンネル２８内にスライド可能に受け入れられた第１ピン２６に当接し、第１プーリー３０が該第１ピン２６上に枢着されている。第２プーリー３２がスライドハウジング１８に固定的に結合された第２ピン３４上に枢着され、ケーブル３６がアンカー３８から延びて、第１、第２プーリー３０、３２を周回し、導管４１を介して防火壁４０を貫通して、クラッチ、ブレーキ又はアクセル等の自動車制御装置９９を作動させるアクチュエータ９８ａまで達している。
【００１８】
図２の文字Ｐは押圧位置にあるペダル４の位置を示し、文字Ｕは非押圧位置にあるペダル４の位置を示している。非押圧位置Ｕにある場合、ペダル４はスプリング等の公知の機構によって非押圧位置Ｕに付勢されているので、上方延長部２４は実質的に垂直に延在し、第１ピン２６と第１プーリー３０はチャンネル２８の前方に位置する。第１プーリー３６がチャンネル２８の前方に位置する非押圧位置Ｕにおいては、アンカー３８と第１プーリー３０との間に延在するケーブル３６の部分は最小の長さとなり、したがってアクチュエータをペダル４の非押圧状態に対応する姿勢になるように作動させる。ペダル４が押圧位置Ｐまで押し下げられると、上方延長部２４は（図２において時計方向に）回転して、点線で示された位置に達し、第１ピン２６と第１プーリー３０をチャンネル２８内で後方に押し、第１プーリー３０とアンカー３８との間に延在するケーブル３６の該部分の長さを増加させる。これによって、アクチュエータは、ペダル４の押圧位置Ｐに対応する姿勢まで引かれる。
【００１９】
距離Ｂだけ離れた最前部位置と最後部位置との間を動くようにダッシュボード１６の下面に固定され、又は防火壁にブラケットで取り付けられているチャンネル部材４２にスライド可能に、スライドハウジング１８が装着されている。チャンネル部材４２に沿うスライドハウジング１８の位置に無関係に、防火壁４０からアンカー３８までのケーブルの全長は一定に保たれ、したがって、アクチュエータ上でのケーブル３６の作用は、スライドハウジング１８の位置の調節よって変化することはないであろう。こうして、ペダル４の位置は、アクチュエータ或いはこれに対応する自動車制御装置の作用に影響を与えることなく、前後に調節される。
【００２０】
図３は、図２に示された横方向の配置とは異なって、スライドハウジング１８が垂直に延在して第１プーリー３０が第２プーリー３２の下に位置していることと、図３には所望の位置にペダルスライド機構１４をロックする機構が示されていることを除いて、図２の機構と実質的に同じペダル位置調節機構を示している。更に、図３は、スライドハウジング１４を所望の位置にロックする機構を示している。更に、図３は、スライドハウジング１８、したがってペダル４をチャンネル部材４２に沿った所望の位置にロックする機構の例を示している。このロック機構は、スプリング４６によってスライドハウジング１８の上面の方に付勢された凹凸プレート４４を具えている。この凹凸プレート４４は、スライドハウジング１８の上面に形成された凹部５０内に受け入れられる大きさを持った複数の突起４８を具えている。凹凸プレート４４はレバー１２に連結され、レバー１２が上方に引っ張られたときに、凹凸プレート４４がスライドハウジング１８から外れて、スライドハウジング１８がチャンネル４２に沿って前後方向に自由にスライドするように構成されている。そして、ペダル４を所望の位置に調節した後にレバー１２が解放されると、スプリング４６が凹凸プレート４４を下方に動かして、スライドハウジング１８の凹部５０に係合させて、スライドハウジング１８を所望の位置に維持する。前述のロック機構は例示に過ぎず、チャンネルを所望の位置にロックするには、公知の任意の機構を使用することができる。
【００２１】
図４Ａは図３の調節可能なペダル位置決め機構の一部断面正面図であり、接続部材５２を介して相互に固定されたスライドハウジング１８に装着された二つのペダル４が示され、調節可能なペダル位置決め機構が作動して所望のペダル位置が得られる際に、両ペダル４の位置が相互に一定に維持されるようになっている。図４Ａに点線で示されている第３のペダル４によって表されているように、この機構には任意の数のペダルを共通に前後運動できるように相互結合可能である。別の例では、付加されたペダルを最初の二つのペダルとの連結から分離して、別個の位置決めができるようにしてもよい。更に、一つ以上のスライドハウジング１８を対応する接続部材５２とともに一体のユニットとして形成し、このユニットが全体としてチャンネル４２に沿って動くようにしてもよい。
【００２２】
図５は、図２の調節可能なペダル位置決め機構と基本的に同一の構造を組み込んだペダル位置決め機構の別の実施例を示し、唯一の差異はケーブル３６がその一端でアンカー３８に連結され、他端で取付け部材５６を介して防火壁４０に枢支されたレバー５４に連結されていることである。このレバー５４は部材５８に隣接して位置し、この部材は押し下げられると、ペダル４の押し下げ角度４に対応する信号を、公知のように自動車の制御装置を作動させるアクチュエータ９８ａを介して自動車制御装置に送る電気スイッチとしても作動する。更に、図５の調節可能なペダル位置決め機構は、図９のモーター・ウォームギア機構６１に連結され、後者の機構はギア６３ａとギアシャフト６３ｂを有するウォームギア機構６３とペダル４の位置を自動的に調節するサーボモーター６２を具えている。図９のモーター・ウォームギア機構６１は、図２、３及び６の実施例と共に使用することも可能である。特に、サーボモーター６２は、運転者からの入力に基づいてペダル４を前後に所望の位置まで動かし、ペダル４を所望の位置にロックするように作動する。別の例では、サーボモーターは自動車制御システムのＣＰＵに記憶されたメモリーに基づいて作動し、現在の運転者の好みに基づいて所定のペダル位置（又はペダルとシートの位置）を選ぶ。勿論、ＣＰＵからの指令にしたがってペダル位置が調節されるこのようなシステムの場合、メモリーに記憶された基準にしたがってシート位置とペダル位置が自動制御され、最小安全間隙が確実に維持されるようになっている。
【００２３】
図５のサーボモーター６２の代わりとして、自動的に作動可能な適宜な動力源を採用して、電動式シートに用いられているような任意の数の機構を採用したペダル４の位置を自動的に調節することもできる。
【００２４】
図６に示されているように、図５の調節可能なペダル位置決め機構は、自動車の種々の機能、自動車の状態、外部条件（道路及び環境条件）、操作情報及び／又は地位情報をモニターし及び／又は制御するのに使用されるマイクロプロセッサー配列型装置、ＡＳＩＣプロセッサー配列型装置等の適宜なプロセッサー配列型装置６４によって作動するコンピュータ化された自動車安全システムに組み込まれている。
【００２５】
このプロセッサー配列型装置６４は、クラッチ制御部６６、ブレーキ制御部６８、スロットル制御部７０、及び速度・方向センサー７２、外部距離センサー７４を含む作動状態センサーを具えた複数の自動車制御装置に接続されている。更に、このプロセッサー配列型装置６４は、運転者通告装置７６、ドアとシートベルトの非ロック、窓の開放、モーターの遮断、９１１コールの設置を含む車内衝突感知装置制御部７８、エアバッグ膨張制御システム８０、及びチャイルドシート検出器８２、シート占拠センサー８４、シートベルト使用中センサー８６、運転者／乗員の距離・高さセンサー８８、９８、シート位置センサー９０並びに自動車浸水状態センサー９２を含む自動車安全システムに情報を供給するセンサーに接続されている。このプロセッサー配列型装置は、エアバッグと運転者との間の最小距離を決めるのに使用される伸縮式ハンドルの位置を決めるための自動車ハンドル位置装置（即ちセンサーシステム）１７０にも接続されている。衝突がが起こったことは、エアバッグを作動させる加速度センサーや横転センサー等によって検出される。
【００２６】
特に、（適宜な任意の装置である）衝突検出装置或いはシステム１５０は、プロセッサー配列型装置或いはシステム６４にも通信可能に又は作動可能に接続されて種々の自動車制御装置及び／又はシステムを制御し、これらを適宜な衝突後処理や設定を行うようにセットする。特に、プロセッサー配列型装置６４は、衝突検出装置１５０からの衝突情報に基づいて、次に述べる自動車システムを制御するように作動する。即ち、自動車エンジン制御装置或いはシステム１５２はエンジンを停止させ、自動車ドアロック制御装置或いはシステム１５４は自動車のドアのロックを解除し、自動車電動窓制御装置或いはシステム１５６は自動車の窓を上下させ、自動車通信装置或いはシステム１５８は（例えば、ダイムラーベンツ社のTele-Aid( 登録商標) システムやゼネラルモーター社のOnStar （登録商標） 等の）携帯電話通信システムを用いて援助の依頼を行う。
【００２７】
図６の別のペダル位置調節機構は、前述の実施例と実質的に同じであり、異なるのは第１プーリーと第２プーリーを介してアクチュエータに連結されたケーブルの代わりに、センサー９４が車軸２０を中心とする各ペダル４の回転角度を検出することである。各センサー９４は対応するペダル４の角度位置に対応する出力信号をプロセッサー配列型装置６４に供給し、該装置は対応する制御信号を特定のペダル４に対応する自動車制御装置に供給する。
【００２８】
図６のコンピューター化された自動車安全システムは、現在採用されているシート位置決めスイッチに対応する一つのスイッチ９５の作用によってシートとペダルの両方の位置を調節可能であるが、最小安全間隙以内の位置に運転者がシートを調節しないように予めプログラムされている。運転者がこのスイッチ９５を操作してシート２の前方への移動を要求すると、プロセッサー配列型装置６４は、（運転者位置センサー又はプリセットされた最前部シート位置のいずれかによって決められているように）サーボモーターを作動させて運転者が最小安全間隙に到達するまでシート２の前進運動をさせる。次にプロセッサー配列型装置６４はシート２の前進運動を停止させ、シート２を最前部位置にロックし、運転者がペダル４が所望の位置に達したことを知らせるまで、ペダル４を運転者の方に動かし始める。次にプロセッサー配列型装置６４は調節可能なペダル位置決め機構に指令して、ペダル４を所望の位置にロックする。別のやり方では、図６のシステムは、シート２の現在位置に無関係にペダル４の位置を乗員が調節することができる別のペダル位置決めスイッチ９７も具えている。
【００２９】
電動式伸縮ハンドルの最小移動と限定された使用を考慮しても、このシステムはペダルを運転者の方に前進させる前に、プロセッサー配列型装置６４とインターフェースして、必要に応じて後退させる。
【００３０】
上述のように、本発明の実施例は、最小の成人の胸部の厚さに基づく所定のシート最前部位置の代わりに、電子式乗員距離センサー８８を使用して、胸からエアバッグまでの距離をモニターしている。次いでプロセッサー配列型装置６４は胸からエアバッグまでの距離をモニターしてシート２とペダル４の動きを制御し、最小安全間隙を維持する。最小安全間隙が得られたことを検出すると、前方へのシートの運動が中止され、運転者からのすべての運動要求はサーボモーター６２に転送される。更に、シートは最小安全間隙を越えて前方に移動することを禁じられるが、運転者又は乗員がその体をシートに対して動かして最小安全間隙以内に一時的に侵入した場合には、プロセッサー配列型装置６４はエアバッグ膨張制御システムを制御してそれを間隙減少モードで作動させ、運転者又は乗員が最小安全間隙を越えて復帰するまでこのシステムが所定の条件下で膨張圧力を減らし、エアバッグを作動しないようにし或いはエアバッグを限定された膨張範囲で展開させるようにする。運転者が最小安全間隙を越えて復帰した場合、このシステムは間隙減少モードでの作動を中止する。
【００３１】
シート２の後方への動きの調節が求められると、プロセッサー配列型装置６４はシート２の前方への動きについて採用されたのと逆の操作を指示する。即ち、サーボモーター６２が作動して、ペダル４が最前部位置に到達するまで（自動車の前の方に）ペダル４を後退させる。次に、プロセッサー配列型装置６４はシート２を後方に動かすことによる付加的な距離の調節を指示する。
【００３２】
オプションで設けられている前方限界ボタン９６は、少なくとも最小安全間隙だけエアバッグから離れている乗員の座っているシート２の任意の位置を人の最前部位置として運転者が選び、そしてペダル４を後方に動かして脚の長さに対する調節を行えるようにする。これによって、あらゆる背丈の運転者がもっと後方のペダル位置を利用して、下腿部の傷害の可能性を減らすことができる。
【００３３】
現在の「シートをスライドのみ」の調節の構成では、背の低い運転者は足を伸ばしてやっとペダル４に達するので、視界にも限界がある。このことは、物理的に使用可能なシートの上昇量を限定する必要がある。
【００３４】
しかし、本発明の実施例によるペダル４の位置の後方調節はこのような伸ばしを不要にし、シートの上昇を全範囲にわたって可能にして、背の高さに無関係にすべての運転者によって採用されて最適な目の高さを得ることが可能になる。
【００３５】
高さセンサー９８は乗員室内に設けられたプロセッサー配列型装置６４に接続され、運転者の頭部の実際の高さを検出する。この高さセンサー９８は市販されている距離計等のセンサーと類似の超音波センサー等の技術を採用している。人の頭部の頂点とその目との平均的な差（例えば１０．２cm（４インチ））を表す標準値を用いて、高さセンサー９８が最適な目の高さが得られたことを示すまで、プロセッサー配列型装置６４がシート２のモーター（図示しない）に命じてシート２を上昇させると、最適な目の高さ位置が自動的に得られる。図１Ａと１Ｂに示されるように、センサー９８（ルーフ位置）から頭部の頂点の１０．２cm（４インチ）下に対応する点までの距離ＮＮ１が、頭部の頂点に関するセンサー９８の最適な或いは少なくとも良好な距離ＮＮ２に対応するものと信じられる。
【００３６】
このように、本発明の実施例は運転者シート自動位置決めシステム（ＤＰＳ）を提供し，このシステムはフロントセンサーと高さセンサーの両方を用いて、運転者を自動的に最適な視界及びエアバッグによる保護位置に位置決めする。
【００３７】
上述の実施例はダッシュボード吊り下げ式フットペダルとこれのために構成されたペダル位置調節機構を示しているが、本発明の実施例及び／又は方法は、ペダルの運動とシートの運動との組合せによって運転者その他の搭乗者とエアバッグとの間の最小安全間隙が確保されるならば、フロア装着式ペダル又はその他のペダル装着装置を具えた自動車にも適用可能である。更に、前述の実施例は運転者シートの制御とエアバッグが装備されているハンドルとに関するものであったが、同じ概念は他の乗員のシートとエアバッグ装置にも適用されて、乗員とエアバッグとの間の最小安全間隙を維持する。
【００３８】
図６に示されているように、プロセッサー配列型装置６４は複数の自動車システムに接続されて、統合された自動車安全システムを形成している。詳しくは、エアバッグシステムとシート・ペダルを制御して最小安全間隙を維持することに加えて、図６のシステムはチャイルドシートが特定のシートに装着されているか、特別なシートベルトが使用されているか、シートの位置はどうなっているか、自動車が浸水し又は衝突していないか、事故後に自動車の点火を不能にし、自動車が浸水した場合に窓を自動降下させ、事故後にドアのロックを解除し、シートベルトを解放し、携帯電話及び／又はナビゲーションシステムを作動させて９１１を呼び出すシステムはどうなっているかを知るためのセンサーを具えている。
【００３９】
運転者／乗員の距離を検出するセンサー８８は、それが装備された場合にはエアバッグの多段階の膨張を制御し及び／又はエアバッグの膨張を制限する実際的な方法を提供する。こうして、距離センサー８８が最小安全距離が侵害されていることを示した場合には、対応するエアバッグは低い膨張速度で作動させられる。最適なエアバッグの膨張作用と速度は、センサー７２、７４、８２、８４、８６、８８からの入力に基づいて、プロセッサー配列型装置６４によって連続的に計算される。
【００４０】
例えば、最小安全間隙が侵害され、又は低速度衝撃が検出された場合、外部距離センサー７４と自動車速度に基づいて、関連するエアバッグの低膨張設定が開始される。こうして、このシステムは、シートに人が座っているか及び／又はシートベルトがちゃんと使用されているかを検出するシステムと連携して更に良好に作動し、多因子安全膨張評価の連続的基礎を提供する。
【００４１】
現在のフットペダルの設計は自動車メーカーによってかなり異なり、ガソリン、ブレーキ、クラッチの制御にケーブル或いはロッドを使用している。実施例においては、すべてのフットペダルがダッシュボードの下に位置する一つのスライドするプラットフォームの上に装着され、防火壁及び／又はダッシュボードに支えられ、前述のように手動或いは電動式に制御される。
【００４２】
電動制御の場合、図６の自動車安全システムはセンサー９８と８８を採用し、重さや高さに無関係に自動的に最適な運転者の位置決めを行う。
【００４３】
この特注の運転者位置決めシステムは、次の三ステップのシート／ペダル位置制御によって、プロセッサー配列型装置６４によって動かされる。（１）シート２は先ず最下部の最後部位置まで戻され、（２）このステップ１が終わった後、シート２は最適な目の位置、即ち高さセンサー９８によって示される距離がメモリーに記憶されている点まで上昇させられ、（３）ステップ１とステップ２が終わった後、シート２は、予め選ばれた最前部位置まで前進することによって、距離センサー８８によって示された距離がメモリーに記憶された所定の最小安全距離に等しくなる位置である最小安全位置まで前進させられる。
【００４４】
これらのステップは任意の順序を行われてもよい。しかし、最初に目の高さを調節することによって、乗員の外形の違い（即ち、乗員の或る部分は他の人よりも前方に突き出しているかも知れない）から生じる乗員とエアバッグとの間の距離を検出する際の不正確さが無くなるか、少なくとも減るはずである。こうして、最初に水平位置決めが行わると、垂直位置における後の変化が乗員の検出された部分とエアバッグとの間の限界距離を変えるかも知れない。
【００４５】
次に、運転者はシート位置作動装置を更に作動させることによって、ペダル４を最も快適な位置に調節する。
【００４６】
図７Ａと図７Ｂは、図２と図３のケーブル・プーリー装置を使用しない別の調節可能なペダル位置決め機構を示す。詳しくは、図７Ａと図７Ｂの調節可能なペダル位置決め機構は、ローラー１０４の上に装着されてハウジング１０６内に設けられたギア付きスライド１００、１０２を具えている。このギア付きスライド１００、１０２は、円形ギア１１０を有するガイド１０８によってハウジング１０６内の位置に維持されている。この円形ギア１１０は開口１０７を介してハウジング１０６内に延在するペダルロッド２２に回転しないように連結され、その結果、ハウジング１０６の対向する壁に形成されたスロット或いはチャンネル２８ａ内に乗り入れているピン１１２によってペダル４に連結されている。円形ギア１１０はギア付きスライド１００、１０２の間の係合位置に保持され、円形ギア１１０の歯は、ハウジング１０６の外に突出したノブ１１６に当接するスプリング１１４の付勢力によってスライド１００、１０２の歯と係合している。このノブ１１６はピン１１２に取付けられ、ノブ１１６がスプリング１１４の付勢力に抗してハウジング１０６の方に押されると、円形ギア１１０は非係合位置まで動いて、円形ギアの歯とスライド１００、１０２の歯との係合が解除される。
【００４７】
こうして、ノブ１１６を押し下げることによって、円形ギア１１０とペダル４はハウジング１０６の長さに沿って任意の位置にスライド可能である。ノブ１１６を緩めると、円形ギア１１０の歯はスライド１００、１０２の歯と再び係合し、ペダル４は新たな位置にロックされる。ペダル４が押し下げられると、ペダルロッド２２は円形ギア１１０を回転させ（図７Ａと図７Ｂにおいて時計方向に）、ストッパー１２１と１２３のいずれが外されたかに応じて、スライド１００を前方（図７Ｂにおいて左方向）にスライドさせ、或いはスライド１０２を後方（図７Ｂにおいて右方向）にスライドさせる。特に、適宜なこれらの図に示されているように、ストッパー１２３は図７Ａのケーブル牽引装置のために取り外され、ストッパー１２１は図７Ｂのプッシュロッド装置のために取り外される。ペダル４によってスライド１００、１０２に加えられる力は、図７Ｂに示されるように、スライド１００によってプッシュロッドコネクター１１８に加えられ、或いは図７Ａに示されるように、スライド１０２によって牽引ケーブル１２０に加えられ、次いでこの力は対応する自動車制御装置用のアクチュエーターに伝達される。
【００４８】
こうして取り外し可能なストッパー１２１と１２３は、それぞれコーナー１２２、１２４においてケーブルを牽引したりロッドを押したりするのに用いられる。例えば、ストッパー１２１を取り外すと、すべてのペダルの動きはロッドコネクター１１８を用いるスライド１００の前進運動となり、ストッパー１２３を取り外すと、すべてのペダルの動きはケーブルコネクター１２０を用いるスライド１０２の後進運動となる。
【００４９】
前述の実施例では、図７Ａ、７Ｂ及び８の調節可能なペダル位置決め機構に関して、手動による調節が述べられているが、電動制御も同様の作用を提供し、同様な構造で行われる。更に、本発明の実施例は、ペダルの運動を用いて自動車制御装置（例えば油圧システム等）を作動させる別の機構と両立可能である。
【００５０】
別個のモーターがフットペダルの追跡のために使用されるが、これは速度計と共通のケーブルシャフト駆動等におけるシート駆動装置に直結されて行われてもよい。オーバーヘッド式の懸垂ペダルが示されているが、フロア装着式ペダルが同じ制御を意図している。
【００５１】
エアバッグで保護される他の乗員のために同様なシート・距離センサーが示唆され、安全なエアバッグ距離を維持する。これらの距離センサーは、最小安全距離が侵略された場合にシートの前進運動を中止して、可聴及び／又は可視の警告を発するように設定可能である。
【００５２】
更に、ブレーキとアクセルの制御が、外部距離センサー７４と速度・方向センサー７２と連携してモニターされて行われる。例えば、速度・方向センサー７４とそれに関連する外部距離センサー７２が突然の衝撃を検出すると、更なる制動力がブレーキ制御部６８によって加えられる。
【００５３】
プロセッサー配列型装置６４によって検出されたすべての安全に対する脅威は、自動的及び／又は可視的警報システムによって運転者に伝えられる。
【００５４】
（図１２Ａのプログラム＃１と図１２Ｂのプログラム＃２に示されているように）、自動車のシート位置決め制御装置の手動式制御作用の代わりに、プロセッサー配列型装置６４が作動して運転者を自動的に位置決めする方法とプログラムが行われる。特に、図１１は、方法又はプログラム３００、即ちプログラム＃７「運転者自動位置決めプロセッサー（ＣＰＵ）のロジック」を示している。
【００５５】
ステップ３１０において、プログラムが開始される。次にステップ３３０において、プロセッサー配列型装置６４が副次的方法又は副次的プログラム、即ち図１２Ｄのプログラム＃４の操作を開始し、自動車のシートはその後方限界位置まで後方に移動する。次に、ステップ３５０において、プロセッサー配列型装置６４は副次的方法又は副次的プログラム、即ち図１２Ｆのプログラム＃６の操作を開始し、シートはその最下限位置まで降下する。次にステップ３７０において、プロセッサー配列型装置６４は副次的方法又は副次的プログラム、即ち図１２Ｅのプログラム＃５の操作を開始し、自動車のシートの上昇は、自動車内部の天井と搭乗者の頭部との間の距離が、既知の垂直距離ＮＮ１（自動車の内部の天井から前面窓ガラスの中心線までの垂直距離）より約１０．２cm（約４インチ）の小さい頭部の高さ距離ＮＮ２より小さいか、等しいか、大きいかに応じて限定される。プログラム＃５を開始することによって、プロセッサー配列型装置６４が用いられて自動車のシートを上昇させ、最適な或いは少なくとも改善された目の高さが得られるようにする。次に、ステップ３９０において、プロセッサー配列型装置６４は副次的方法又は副次的プログラム、即ち図１２Ｃのプログラム＃３の操作を開始し、自動車シートの前進運動は、感知され或いは求められたエアバッグと搭乗者との間の距離が約２５．４cm（約１０インチ）の最小距離より小さいか、等しいか、又は大きいかに応じて、限定される。最後にプロセッサー配列型装置６４はステップ３９５を行い、そこでプログラムの操作が終了又は停止する。
【００５６】
運転者の自動的位置決めが行われず、人がブロック４１０において自動車の前進運動を制御する場合（そうでなければ、プログラムがブロック４２０で停止する）には、プロセッサー配列型装置６４は図１２Ａのプログラム＃１（４００）を行う。この場合、ブロック４３０と４４０において（距離センサー８８、シートベルト位置センサー１９０及び／又はシート位置センサー９０からの入力に基づいて）感知され或いは求められた距離が或る最小距離又は設定（約２５．４cm（約１０インチ））より大きい場合には、プロセッサー配列型装置６４が作動して、ブロック４４５においてシート前進・前方位置決め用モーターを作動可能にする。これは、例えば、ブロック４４５においてシート前進・前方位置決め用モーターへの電力の供給を可能にすることによって行われる。ブロック４５０において、感知され或いは求められた距離が最小距離又は設定（約２５．４cm（約１０インチ））に等しいか又はほぼ同じならば、プロセッサー配列型装置６４が作動して、ブロック４５５においてペダル前進・前方位置決め用モーター６２の作用を可能にする。これは、例えば、ブロック４５５においてペダル前進・前方位置決め用モーター６２への電力の供給を可能にすることによって行われる。ブロック４６０において、感知され或いは求められた距離が或る最小距離又は設定（約２５．４cm（約１０インチ））より少ない場合には、プロセッサー配列型装置６４が作動して、ブロック４６５においてシート後退・後方位置決め用モーターの作用を可能にする。これは、例えばブロック４６５においてペダル後退・後方位置決め用モーター６２への電力の供給を可能にすることによって行われる。
【００５７】
運転者自動位置決めを使わずに、ブロック５１０において人が自動車シートの後進運動を制御する場合（そうでなければブロック５２０においてプログラムが停止させられた場合）には、プロセッサー配列型装置６４は図１２Ｂのプログラム＃２（５００）を実行する。この場合には、ブロック５５０と５４０において、（距離センサー８８、シートベルト位置センサー１９０及び／又はシート位置センサー９０からの入力に基づいて）感知或いは求められた距離が或る最小距離或いは設定（約２５．４cm（約１０インチ））より大きければ、プロセッサー配列型装置６４はブロック５４６においてペダル後退用モーター６２をその限度まで作動可能にするように働き、（ブロック５６５において、このシステムがペダルがその限界にあると決めた場合には）その後に、シート後退・後方位置決め用モーターがその限度まで作動させられる。例えば、これはブロック５４６においてペダル後退用モーター６２に電力を供給可能にし、その後にブロック５６５においてシート後退・後方位置決め用モーターに電力を供給可能にすることによって行われる。ブロック５５０において、感知され又は求められた距離が最小距離或いは設定（約２５．４cm（約１０インチ））と等しいか或いはほぼ同じである場合には、ペダルの後退がブロック５４５においてその限界であると、プロセッサー配列型装置６４はブロック５６５において、シート後退・後方位置決め用モーターの作動を可能にするように働く。これは、例えばブロック５６５においてシート後退・後方位置決め用モーターに電力を供給可能にし、或いはブロック５４５においてペダルの後退がその限界に達していない場合には、ブロック５４６においてペダル後退用モーターに電力を供給可能にすることによって行われる。感知され或いは求められた距離が或る最小距離或いは設定（約２５．４cm（約１０インチ））より小さい場合には、ブロック５６５においてプロセッサー配列型装置６４はシート後退・後方位置決め用モーターの作用を可能にするように働く。これは、例えばブロック５６５においてシート後退・後方位置決め用モーターへの電力の供給を可能にして行われる。
【００５８】
前述のように、ステップ３３０において、プロセッサー配列型装置６４は副次的方法又は副次的プロログラム、即ち図１２Ｄのプログラム＃４（７００）を開始させて、運転者自動位置決めが行われ且つブロック７１０において自動車の後方運動が制御されない場合には、プロセッサー配列型装置６４は図１２Ｄのプログラム＃４を実行する。この場合、プロセッサー配列型装置６４は、ブロック７２０と７３０においてペダル後退用モーター６２をその限度まで作動させるように働き、その後、シート後退・後方位置決め用モーターは、ブロック７４０と７５０においてその限界まで作動させられる。例えば、これは、ブロック７３０においてペダル後退用モーター６２への電力の供給を可能にし、その後にブロック７５０においてシート後退・後方位置決め用モーターへの電力の供給を可能にすることによって行われる。
【００５９】
前述したように、ステップ３５０においてプロセッサー配列型装置６４は副次的方法或いは副次的ステップ、即ち図１２Ｆのプログラム＃６（９００）の操作を開始し、自動車シートをその最下位置まで降下させる。ブロック９１０において、プロセッサー配列型装置（或いはＣＰＵロジック）が自動シーケンスによって起動される。ブロック９２０において、このシステムは、自動車シートがその最下部限界に達しているかどうかを判断する。シートがその最下部限界に達していれば、プログラムはブロック９４０に老いて停止する。達していなければ、ブロック９４０において自動シート上昇用モーターが作動して、自動車シートを降下させる。
【００６０】
前述したように、ブロック３７０においてプロセッサー配列型装置６４は副次的方法或いは副次的プログラム、即ち図１２Ｅのプログラム＃５（８００）の操作を開始し、感知され或いは求められた自動車内天井と搭乗者の頭部との間の距離が頭部高さ距離ＮＮ２より小さいか、等しいか、又は大きいかに応じて、自動車シートの上昇運動を制限する。ここで、ＮＮ２は既知の垂直距離ＮＮ１（自動車内天井から前面都窓ガラスの中心線までの垂直距離）よりも約１０．２cm（約４インチ）少ない。プログラム＃５を開始することによって、ブロック８１０においてプロセッサー配列型装置６４は自動車シートを上昇させて、最適或いは少なくとも改善された高さを提供するのに使用される。特に、ブロック８２０において感知された高さ距離が、ブロック８３０において頭部高さ距離ＮＮ２よも大きいと判断された場合には、プロセッサー配列型装置６４が作動して、ブロック８５０において自動車シート位置決め装置によって自動車シートの高さを上昇或いは増加させる。ブロック８４０において、この距離が頭部高さ距離ＮＮ２に等しいか、これとほぼ同じ場合には、ブロック８４５においてプロセッサー配列型装置６４が作動して、自動車シート位置決め装置を停止させその位置を保持する。ブロック８４６においてこの距離が頭部高さ距離ＮＮ２より小さいと判断された場合には、ブロック８４８においてシート高さがその限界まで低下していなければ、プロセッサー配列型装置６４が作動して、ブロック８４８において自動車シート位置決め装置によって自動車シートの高さを低下又は減少させる。このロジック或いは図１２Ｅの方法は、図１１の方法又はプログラムによって起動されるが、人によって起動することもできる。
【００６１】
前述のように、ステップ３９０において、プロセッサー配列型装置６４は副次的方法又は副次的ステップ、即ち図１２Ｃのプログラム＃３（６００）を開始し、運転者の自動位置決めが行われ且つ人が自動車シートの前進運動を制御しない場合には、プロセッサー配列型装置６４はブロック６１０で始まる図１２Ｃのプログラム＃３（６００）を行う。この場合、ブロック６３０と６４０において（距離センサー８８、シートベルト位置センサー１９０及び／又はシート位置センサー９０からの情報に基づいて）感知され或いは求められた距離が或る最小距離又は設定（約２５．４cm（約１０インチ））より大きければ、ブロック６４５においてプロセッサー配列型装置６４が働いて、シート前進・位置決め用モーターを作動可能にする。例えば、これはブロック６４５においてシート前進・前方位置決め用モーターに対して電力を供給可能にすることによって行われる。ブロック６５０において、感知され或いは求められた距離が最小距離又は設定に等しいかほぼ同じならば、プロセッサー配列型装置６４が作動して、ブロック６２０においてシート前進・前方位置決め用モーターの作業を不能にし、自動車シートの前進を停止させる。これは、例えば、ブロック６４５においてシート前進・前方位置決め用モーターへの電力供給を可能にすることによって行われる。ブロック６５０において、感知され又は求められた距離が最小距離又は設定（約１０インチ）に等しいか或いはほとんど同じならば、ブロック６２０においてプロセッサー配列型装置６４が作動してシート前進・前方位置決め用モーターを作動不能にし、自動車シートの前進を停止させる。これは、例えば、ブロック６２０において、シート前進・前方位置決め用モーターへの電力の供給を不能にすることによって行われる。ブロック６６０において、感知され又は求められた距離が或る最小距離又は設定（約２５．４cm（約１０インチ））より小さい場合には、（ブロック６６５において自動車シートがその限度まで後退していなければ）ブロック６６７においてプロセッサー配列型装置６４が働いて、シート後退・後方位置決め用モーターを作動可能にする。これは、例えば、ブロック６６７においてシート後退・後方位置決め用モーターに電力を供給可能にすることによって行われる。
【００６２】
前述の電子式距離センサーに代わりとして、ここに述べられるシートベルト引出しシステムもエアバッグと運転者との距離を求めて維持するのに使用される。
【００６３】
前述のように、エアバッグとシートに座った人との間の最小距離は約２５．４cm（１０インチ）であり、その人の体はシートに対して約２０．３cm（約８インチ）突出している。これは、エアバッグとシートの背もたれとの間の距離が少なくとも約４５．７cm（約１８インチ）なければならないことを意味している。体型は変動しているので、人の実効突出も変化する。したがって、この突出は例えば約１７．８cm（７インチ）、２０．３cm（８インチ）、２５．４cm（１０インチ）或いはそれ以上となるかもしれない。プロセッサー配列型装置６４が用いられて、人の特定突出を評価し、エアバッグとシートの背もたれとの間の変動する実効最小距離を考慮し、エアバッグと人との間に約２５．４cm（約１０インチ）の実効或いは実質最小距離を維持する。プロセッサー配列型装置６４はこの情報を利用して、図６と図１０Ａに示されるような水平・垂直シート位置制御システム１８０及び／又は（図６に示されるような）運転者／乗員距離センサー８８を使って、シートの動きを制御する。
【００６４】
特に、シートベルト位置装置センサーシステム１９０が使用されて、特定の人のためのシートベルト使用情報をプロセッサー配列型装置６４に提供する。次に、プロセッサー配列型装置６４はこの情報を用いて、所定の或いは固定された突出の評価ではなく、シートの背もたれに対する実効突出或いは厚さを求める。シート位置センサー９０からの情報及び評価された突出（或いはシステムに欠陥がある場合には所定の突出）及び（伸縮式及び／又は傾斜式ハンドルがある場合には）自動車ハンドル位置検出装置又はシステム１７０を用いて、プロセッサー配列型装置６４がシート位置制御システム１８０と（ペダルを運転者の方に進行させる前に）伸縮式及び／又は傾斜式ハンドル８８を計御する。
【００６５】
シートベルト位置センサーシステム１９０からの情報に基づくシートベルト引き出し長さを用いて、プロセッサー配列型装置６４は突出の評価を行い、自動車搭乗者の安全距離位置決めを評価する。上述のように、人の胸部或いは体の突出は、約２０．３cm（約８インチ）〜２７．９cm（１１インチ）或いはそれ以上のオーダーで変化する。以下に、シートベルトの引き出し長さに基づいてプロセッサー配列型装置が突出（したがって（伸縮式及び／又は傾斜式ハンドルのためのシートのスライド位置及び／又はハンドル位置を使用するための）最小距離シート位置）を直接的に評価するための突出表を作り又は「突出方程式」を使用する方法を説明する。
【００６６】
次に述べる一つの弦の切片の積が第２の弦の切片の積に等しい交差する弦の関係を用いて、プロセッサー配列型装置６４はシートベルト引出し情報と二つのシートベルト係止点（或いはその他の適宜な基準点）間の距離に関する所定の情報とに基づいて必要な搭乗者の最小シート位置及び／又はハンドル位置を求める。図１０Ａは、自動車シートに関して腰ベルトと肩ベルトの経路を示している。次に述べる例は、図１０Ａに示されるように、シートベルト係止点ＸＹとＹＺの間の平均の弦の長さが６３．５cm（２５インチ）となる自動車シート構造を仮定している。この弦の長さは、特定の自動車の特定のシート構造に応じて変化する。
【００６７】
自動車のシート構造の一例においては、距離は次のように設計されている。ＸＹ＝７８．７cm（３１インチ）、ＹＺ＝４８．３cm（１９インチ）、したがって、弦の全長は１２７cm（５０インチ）となり、弦の平均長は６３．５cm（２５インチ）となる。図１０Ｂは、自動車に座った人の突出量即ち厚さを求めるのに使用される腰又は肩のベルトの経路の展開図を示す。特に、図１０Ａに示されているように、引き出されたシートベルトは二つの円弧ＸＹとＹＺを形成し、これらはシートの背もたれの弦のラインＸＹとＹＺから高さｈの位置にある。この計算は運転者用エアバッグ又は乗員用エアバッグの位置に対する搭乗者の胸の実際の突出のみに関するものであるから、柔らかいシートへの搭乗者の沈み込みはこの計算には実質的な影響はない。
【００６８】
円内で弦同志が交差すると、第１の弦の切片の積は第２の弦の切片の積に等しくなる。したがって、図１Ｂにおいて、ｃ／２＊ｃ／２＝ｈ＊ｘ及びｃ2 ／４＝ｈ＊ｘとなる。前述のように平均の弦の長さｃが６３．５cm（２５インチ）であれば、胸の突出が１７．８cm（７インチ）の場合の解答は、６２５／４＝７ｘであり、したがって１５６．２５＝７ｘ、そしてｘ＝２２．３２（ｘの値）となる。また、直径ｄ＝ｘ＋７＝２９．３２（ｈ＋ｘの値）となり、したがって半径ｒ＝1/2直径＝１４．６６（Ｒの値）であり、円周＝２９．３２＊３．１４１６＝９２．１１（円周の値）となる。角度Ａ／２＝1/2ｃ／ｒ＝１２．５／１４．６６＝０．８５２６６０３＝５８．５０°であるから、角度Ａ＝５８．５０＊２＝１１７°（Ａの値）となる。円弧の長さがその対角に正比例している場合には、円弧の長さ（即ちシートベルトの長さ）は次のように求められる。３６０／９２．１１＝１１７／Ｌ、したがってＬ＝２９．９４（Ｌの値）となる。それぞれ７５．９cm（２９．９４インチ）の長さの二つの円弧が含まれているから、この実施例の６３．５cm（２５インチ）の平均長の二つの弦を超えて使用されるシートベルトの長さは次のようになる。２（Ｌ−ｃ）＝２（２９．９４−２５）＝２５．１cm（９．８８インチ）（引出し長さの値）。これは、ベルト付きの空のシートと比べて、引き出された付加的なベルトの長さを表し、任意の特定の自動車用に利用可能な距離の情報である。
【００６９】
以下に（厚さ即ち突出部の値ｈが約７〜１２インチ（ここで特定の自動車シート機構のための平均弦長が２５インチである））表Ａを示す。
【表１】
2010173640.tif 000003
【００７０】
計算は、円弧ＸＹとＹＺの任意の平均弦ｃに対して表され、ここで、ｃをシートベルトの平均弦長、ｈを所定のシートの背もたれからの搭乗者（胸）の突出厚さ、Ｌを平均円弧長とすると、ｃ2 ／４／ｈ＝ｄであり、ｄ／２＝ｒ、３．１４１６＊ｄ＝円周、1/2／ｃ／ｒ＝ｓｉｎ・角度ａ、３６０／３．１４１６＊ｄ＝角度ａ°／Ｌであり、ここでＬは引き出されたシートベルト長ＥＳＢＬを求めるのに使用され、ＥＳＢＬ＝２（Ｌ−ｃ）＝弦ＸＹ及びＹＺ（即ち、人が座っていないシートに必要なシートベルト長）を超えて引き出されたベルト長である。
【００７１】
このように、シートの背もたれの所定のラインからの搭乗者の突出が引き出されたシートベルト長ＥＳＢＬに基づいて求められる。したがって、プロセッサー配列型装置６４を用いて実効最大前方シート位置／スライド（及び／又は伸縮式及び／又は傾斜式ハンドルの位置）が求められ、前述のように２５．４cm（１０インチ）の安全距離間隙が維持される。例えば、引き出されるシートベルト長ＥＳＢＬが（表Ａにおいて２２．９cm（９インチ）の突出を示している）３４．３cm（１３．５０インチ）と決められると、自動車シート（及び／又は運転者のためのハンドル）の有効位置は、シートの背もたれの所定のラインから約４８．３cm（約１９インチ）の最小距離（即ち４８．３cm（１９インチ）は２２．９cm（９インチ）の突出とエアバッグから搭乗者までの距離２５．４cm（１０インチ）を加えたものである）に維持されるように設定される必要がある。メーカーは、異なるシートスライド位置と人が座っていない場合のシートベルト長とにおける、所定の安全ベルト係止距離（又はその他の適宜な基準点）のために調節されたこのような表を作っている。
【００７２】
図１０Ｂに示されているように、各自動車のデザインに基づいて、公知のハンドル位置とシートの背もたれの位置に関して、シートベルトの引出しと搭乗者の位置との間に数学的関係が存在する。これと、人間の胸の厚さの変動が比較的小さいことから、たとえ自動車がシートベルト引出し装置からシートのスライドの前方限界まで手動式シートスライドを有していても、異なる自動車にギア式ケーブル接続装置が組み込まれることもある。
【００７３】
シートベルトを固定すると、シートのスライド限界がシートの更なる前進を妨げるが、その場合には、図１Ａに示されているように、運転者がレバー１２を用いて手動でペダルスライドを快適運転位置まで後退させる。シートが許容限界より接近した場合には、簡単な可視表示器を使用して、運転者にシートを後退させて安全間隙を保つ必要があることを告げる。これはコンピューター式制御器、電動シート又は距離センサーを必要としないので、図２Ａに示されているように、ベルト引出し装置からシートスライド限界までの比較的安価なケーブル接続によって、すべての自動車に組み込むことができる。
【００７４】
先行出願の全ての開示内容は、必要に応じてここに組み込まれている。
【００７５】
エアバッグからの最小間隙等の距離の例が本明細書中で述べられたが、これらの距離はケースバイケースで変わり得る。更に、上述の実施例は単なる例示に過ぎず、これらの実施例及び／又は方法の変形例や修正例が存在する。これらの変形例や修正例は本発明の特許請求の範囲内のものであると考えられる。
【符号の説明】
【００７６】
２    シート
４    フットペタル
６    ハンドル
８    エアバッグ
１１    レバー
【図１Ａ】
2010173640.tif 000004
【図１Ｂ】
2010173640.tif 000005
【図２】
2010173640.tif 000006
【図３】
2010173640.tif 000007
【図４Ａ】
2010173640.tif 000008
【図４Ｂ】
2010173640.tif 000009
【図５】
2010173640.tif 000010
【図６】
2010173640.tif 000011
【図７Ａ】
2010173640.tif 000012
【図７Ｂ】
2010173640.tif 000013
【図８】
2010173640.tif 000014
【図９】
2010173640.tif 000015
【図１０Ａ】
2010173640.tif 000016
【図１０Ｂ】
2010173640.tif 000017
【図１１】
2010173640.tif 000018
【図１２Ａ】
2010173640.tif 000019
【図１２Ｂ】
2010173640.tif 000020
【図１２Ｃ】
2010173640.tif 000021
【図１２Ｄ】
2010173640.tif 000022
【図１２Ｅ】
2010173640.tif 000023
【図１２Ｆ】
2010173640.tif 000024
【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
第１エアバッグと、第１シートと、距離測定装置と、プロセッサと最小安全間隙維持装置とを具備する自動車安全装置において、
該第１エアバッグは自動車の乗員室内に装着されていて、
該第１シートは該乗員室内に装着されており、該第１シートは第１シート位置調節機構によって自動車のフレームに対して動き得るように連結され、該第１シート位置決め機構は、第１軸に沿って第１エアバッグに対して第１シートを最前部位置と最後部位置との間で移動させることができ、
該最前部位置は、第１シートに座った運転者又は乗員と第１エアバッグとの間の距離が運転者又は該乗員に対する最小安全間隙に等しくなる該第１シートの位置であって、該最前部位置から該第１シートが離なれていくと第１シートと第１エアバッグとの間の距離は増大するようになっており、
該距離測定装置は、運転者と該第１エアバッグとの間の距離を測定するためのものであり、そして少なくとも一つの距離センサーと、シートベルト位置センサーと、シート位置センサーとを含んでいて、
該プロセッサは該運転者又は乗客と該第１エアバッグとの間の該距離が該最小安全間隙より小さいかどうかを決定するためのものであり、
該最小安全間隙維持装置は、該最小安全間隙を提供するためにシート位置決め装置とペダル調節装置とを操作するようになっていて、
該第１シート位置決め機構が第１モータと、該第１モータに接続したシート位置スイッチを含んでいて、該シートスイッチを作動すると該第１シートが移動するようになっており、
該第１シートが該最前部位置にある場合、該第１シートを前方へ移動するべく該シートスイッチを作動しても、該第１シートは移動しなくて、その代りに、第２モータがペダル取付け部を該第１シートに向けて移動させるようになっていて、
該ペダル調節装置は、該ペダルと該運転者との間の距離をペダルの最前方位置と最後方位置と、の間で調節軸に沿って１２．７cm（５in）調節できるようになっていて、該ペダル調節軸は該第１軸に平行であり、
該第１エアバッグは、運転者用のハンドルアセンブリと、運転者以外の乗員用のダッシュボード装置とのいずれか一方に対して固定的に位置決めされる、自動車安全装置。
【請求項２】
該第１シートが運転者のシートであり、該自動車が、乗客室において該第１シートの前方に位置決めされた少なくとも一つの自動車制御用ペダルを具え、該自動車安全装置が、更に該少なくとも一つのペダルを該第１シートに対して前後に移動させるためのペダル位置調節機構を具えている、請求項１に記載の自動車安全装置。
【請求項３】
該ペダル位置調節機構が、少なくとも一つのペダルが回転可能に装着されるペダル取付け部を具え、該ペダル取付け部は該乗員室内にスライド可能に取付けられていて、従って該少なくとも一つのペダルが該第１軸に実質的に平行なペダル調節軸に沿って、該最前方位置と該最後方位置との間でスライドするようになっている、請求項２に記載の自動車安全装置。
【請求項４】
該最前部位置において、該第１シートの背もたれが、該最小安全間隙に成人の胸の厚さを加えた値に等しい距離だけ該第１エアバッグから離れている、請求項２に記載の自動車安全装置。
【請求項５】
該自動車安全装置が、該第１シートに座った乗員と該第１エアバッグとの間の距離に基づいて該最前部位置を規定するための位置規定装置と共に使用され、該自動車安全装置は、更に該距離を求めてこれを該位置規定装置に提供するための距離センサーを具えている、請求項２に記載の自動車安全装置。
【請求項６】
第２シートと第２エアバッグとを更に具備していて、
該第２シートは該乗員室内に装着され、該第２シートは第２シート位置調節機構によって自動車のフレームに対して動き得るように連結され、該第２シート位置調節機構は該第２シートが該第１軸に平行な第２軸にそって最前部位置と最後部位置との間を動くことを可能にしており、
該第２エアバッグは、該乗員室の内部において、該第２シートの該最前部位置の前方に装着されていて、
該第２シートの該最前部位置は、該第２シートに座った乗員と該第２シートとの間の距離が該乗員に対する最小安全間隙に等しくなる位置であって、請求項２に記載の自動車安全装置。
【請求項７】
該第１シートが運転者のシートであり、該第１エアバッグが自動車のハンドルに装着されており、自動車は、ペダル取付け部に可動に接続された少なくとも一つの自動車制御ペダルを具えていて、該ペダル取付部は該自動車に可動に取りつけられており、従って該少なくとも一つの自動車制御ペダルは、該第１シートに対して遠近方向に動くようになっている、請求項１に記載の自動車安全装置。
【請求項８】
ケーブルを更に備えていて、
該ケーブルは、自動車制御装置のアクチュエーターに接続された第１端から延びて、第１及び第２プーリーアセンブリを周回して第２端まで達していて、該ケーブルの該第２端は係止部材に接続され、該第１プーリーアセンブリは該ペダル取付け部に回転可能にかつ可動に連結された第１プーリーを具え、該第２プーリーアセンブリは該ペダル取付け部に回転可能にかつ可動不能に連結された第２プーリーを具えている、請求項７に記載の自動車安全装置。
【請求項９】
第１シートと、第１エアバッグと、ペダル取付部と、少なくとも一つの自動車制御ペダルと、ケーブルと、当接部材と、距離測定装置と、プロセッサと最小安全間隙維持装置とを具備する自動車安全装置において、
該第１シートは乗員室内に装着されていて、該第１シートは第１シート位置調節機構によって自動車のフレームに対して動き得るように連結され、該第１シート位置決め機構は、第１軸に沿って第１エアバッグに対して第１シートを最前部位置と最後部位置との間で移動させることができ、
該第１エアバッグは、該乗員室内において、該第１シートの最前部位置の前方に設けられていて、該最前部位置は、該第１シートに座った運転者又は乗員と該第１エアバッグとの間の距離が運転者又は該乗員に対する最小安全間隙に等しくなる該第１シートの位置であって、
該少なくとも一つの自動車制御ペダルは、該ペダル取付け部に可動に連結され、該ペダル取付け部は、該少なくとも一つの自動車制御ペダルが該第１シートに対して遠近方向に動くように、自動車に可動に取付けられていて、
該ケーブルは、自動車制御装置のアクチュエーターに接続された第１端から延びて、第１及び第２プーリーアセンブリを周回して第２端まで達していて、該ケーブルの該第２端は係止部材に接続され、該第１プーリーアセンブリは該ペダル取付け部に回転可能にかつ可動に連結された第１プーリーを具え、該第２プーリーアセンブリは該ペダル取付け部に回転可能にかつ可動不能に連結された第２プーリーを具えており、
該当接部材は、該少なくとも一つのペダルに連結され、該第１プーリーアセンブリに当接しているので、該ペダルが作動する際に該第１プーリーが該ペダル取付け部に対して移動して、対応する力を該ケーブルに付与し、該自動車制御装置の該アクチュエーターを作動させていて、
該距離測定装置は、運転者と該第１エアバッグとの間の距離を測定するためのものであり、そして少なくとも一つの距離センサーと、シートベルト位置センサーと、シート位置センサーとを含んでいて、
該プロセッサは該運転者又は乗客と該第１エアバッグとの間の該距離が該最小安全間隙より小さいかどうかを決定するためのものであり、
該最小安全間隙維持装置は、該最小安全間隙を提供するためにシート位置決め装置とペダル調節装置とを操作するようになっていて、
該第１シート位置決め機構が第１モータと、該第１モータに接続したシート位置スイッチを含んでいて、該シートスイッチを作動すると該第１シートが移動するようになっており、
該第１シートが該最前部位置にある場合、該第１シートを前方へ移動するべく該シートスイッチを作動しても、該第１シートは移動しなくて、その代りに、第２モータがペダル取付け部を該第１シートに向けて移動させるようになっていて、
該ペダル調節装置は、該ペダルと該運転者との間の距離をペダルの最前方位置と最後方位置と、の間で調節軸に沿って１２．７cm（５in）調節できるようになっていて、該ペダル調節軸は該第１軸に平行であり、
該第１シートは運転者のシートであり、該第１エアバッグは自動車のハンドルに装着されている、自動車安全装置。
【請求項１０】
更に、該第１モーターと該シート位置スイッチとの間に接続されたコンピューター、及び
該第１シートに座った乗員と該第１エアバッグとの間の距離を検出する該コンピュータに接続された距離センサーを具備していて、
該コンピュータは該第１シートの最前部位置の場所を求めているので、該第１シートが最前部位置に或る場合に、該第１シートに座っている乗員と該第１エアバッグとの間の距離が該最小安全間隙に等しくなるようになっていて、そして、該コンピュータは、該第１シートが最前部位置に達すると、該第１モーターの作用を停止させる、請求項１に記載の自動車安全装置。
【請求項１１】
該第１シートが最前部位置にある場合に、該運転者が該シート位置スイッチを作動して該第１シートを前進させようとすると、該コンピュータが該第２モーターを作動させて、該ペダル取付け部を該第１シートの方に移動させる；請求項１０に記載の自動車安全装置。
【請求項１２】
更に、ペダルスイッチを具え、該運転者が該ペダルスイッチを操作すると、該ペダル取付け部が該ペダルスイッチの操作に対応する動きを起こさせる、請求項１０に記載の自動車安全装置。
【請求項１３】
更に、好ましい第１シート位置とペダル取付け部位置が記憶されているメモリーを具えている、請求項１１に記載の自動車安全装置。
【請求項１４】
更に、該第１シートに連結されてこれを垂直に移動させる第３モーターを具えている、請求項１０に記載の自動車安全装置。
【請求項１５】
更に、該第１シートの乗員の目の高さを感知する高さセンサーを具え、該高さセンサーは該コンピュータと連結され、該コンピュータは、最適な目の高さが得られるまで該第３モーターを制御して該第１シートを垂直に動かす、請求項１４に記載の自動車安全装置。
【請求項１６】
該第１シートの水平移動及び垂直移動は、該最適な目の高さにもとずく自動位置決めと、プロセッサの制御を介しての最小安全間隙の位置決めとを提供するために使用される、請求項１５に記載の自動車安全装置。
【請求項１７】
該距離センサーが、該第１シートに座っている乗員が該最小安全間隙内に侵入したことを示すと、該コンピュータが該第１エアバッグの膨張を、縮小間隙モードに制御する、請求項１０に記載の自動車安全装置。
【請求項１８】
該縮小間隙モードの場合、該コンピュータは該第１エアバッグの展開を禁止する、請求項１７に記載の自動車安全装置。
【請求項１９】
該縮小間隙モードの場合、該コンピュータは該第１エアバッグの膨張圧力を減らす、請求項１７に記載の自動車安全装置。
【請求項２０】
該縮小間隙モードの場合、該コンピュータは該エアバッグの段階的膨張を指令する、請求項１７に記載の自動車安全装置。
【請求項２１】
更に、少なくとも一つのペダルと共に使用するペダル取付け部を具えていて、
該ペダル取付け部は、
第１ギア付き部材及び第２ギア付き部材と、ギア付きホイールと、プッシュロッド或いは牽引ケーブルのいずれか一方とを含んでおり、
該第１ギア付き部材と第２ギア付き部材との一方は可動ギア付き部材であり、
該ギア付きホイールは、該少なくとも一方のギア付き部材に回転不能に連結され、該第１ギア付き部材と第２ギア付き部材の間に受け入れられていて、従って該ギア付きホイールの回転が該可動ギア付き部材に対応する動きを与えるようになっていて、
該プッシュロッド或いは牽引ケーブルのいずれか一方が、該可動ギア付き部材と自動車制御装置のアクチュエーターとの間に連結され、該少なくとも一つのペダルと共に使用されている、請求項１に記載の自動車安全装置。
【請求項２２】
複数のペダルが該ペダル位置調節機構に連結されていて、該複数のペダル位置が調節されると、該複数のペダル相互間の調節された所定の位置が維持されるようになっている、請求項２に記載の自動車安全装置。
【請求項２３】
更に、該第１シートに連結されて、該第１シートを垂直に動かすモーターを具えている、請求項１に記載の自動車安全装置。
【請求項２４】
更に、該第１シートの乗員の目の高さを感知する高さセンサーと、
該モーターを制御して、最適な目の高さが得られるまで該第１シートを垂直に動かすシート位置コントローラーとを具えている、請求項２３に記載の自動車安全装置。
【請求項２５】
更に、乗員の目の高さに対応する該第１シートに座っている乗員の一部の位置を検出する高さセンサーを具えている、請求項１に記載の自動車安全装置。
【請求項２６】
更に、該高さセンサーからのデータに基づいて作動し、該第１シートの高さを調節して、該第１シートに座っている乗員の最適な目の高さを得る垂直運動用モーターを具えている、請求項２５に記載の自動車安全装置。
【請求項２７】
更に、該第１シートに座っている乗員と該第１エアバッグとの間の距離に対応する該乗員の位置を感知する距離センサーを具えている、請求項１に記載の自動車安全装置。
【請求項２８】
更に、該距離センサーからのデータに基づいて作動して、該距離センサーが該第１シートが最前部位置にあることを示すまで、該第１軸に沿って該第１シートを動かす水平運動用モーターを具えている、請求項２７に記載の自動車安全装置。
【請求項２９】
更に、該運転者に人の最前部位置を選ばせることのできるペダル位置スイッチを具えていて、従って該第１シートが人の最前部位置にある場合に、該運転者が該シート位置スイッチを作動させて該第１シートを更に前方へ移動しようとすると、該ペダルが後方へ移動するようになっている、請求項１１に記載の自動車安全装置。
【請求項３０】
更に、該距離センサーに接続された乗員通報装置を具え、乗員が該最小安全間隙内で前方に動いた場合、該乗員通報装置が、最小安全間隙が侵害されたことを該乗員に知らせる、請求項５に記載の自動車安全装置。
【請求項３１】
自動車内に装着されたエアバッグと該エアバッグにより保護する自動車乗員との間を、該自動車乗員に対する最小安全間隔に維持する方法であって、該自動車は該エアバッグに対して遠近方向に動かされるシートを具えている該方法において、該方法が、
該エアバッグの方への該シートの動きを制限する段階であって、最前部位置を超える該シートの動きを防いで、該最前部位置において、該シートに座った運転者又は乗員が所定の最小安全間隙だけ該エアバッグから離れるようになっている、シートの動きを制限する段階と、
該シートと該少なくとも一つのペダルと間に所望の距離を設けるために、少なくとも一つの自動車制御ペダルの位置を調節する段階と、
距離測定装置を用いて運転者又は乗客と該第１エアバッグとの間の距離を測定する段階であって、該距離測定装置は少なくとも一つの距離センサーと、シートベルト位置センサーと、シート位置センサーとを含んでいる段階と、
プロセッサを用いて該運転者又は乗客と該第１エアバッグとの間の該距離が該最小安全間隙より小さいかどうかを決定する段階と、
該最小安全間隙を維持するためにシート位置決め装置とペダル調節装置とを操作することにより最小安全間隙を維持する段階とを含んでいて、
該第１シート位置決め機構が第１モータと、該第１モータに接続したシート位置スイッチを含んでいて、該シートスイッチを作動すると該第１シートが移動するようになっており、
該第１シートが該最前部位置にある場合、該第１シートを前方へ移動するべく該シートスイッチを作動しても、該第１シートは移動しなくて、その代りに、第２モータがペダル取付け部を該第１シートに向けて移動させるようになっていて、
該ペダル調節装置は、該ペダルと該運転者との間の距離をペダルの最前方位置と最後方位置と、の間で調節軸に沿って１２．７cm（５in）調節できるようになっていて、該ペダル調節軸は該第１軸に平行であり、
該エアバッグは、運転者用ハンドルアセンブリと該運転者以外の乗員用ダッシュボード装置の一方に関して固定的に位置決めされている、方法。
【請求項３２】
該自動車はコンピュータと、該シートに座った乗員と該エアバッグとの間の距離を検出するセンサーと、該シートを該エアバッグに対して遠近方向に動かすシート用モーターとを具え、該シートに座った乗員と該エアバッグとの間の該距離が該最小安全間隙に等しいことを該センサーが示した場合に、該シートの動きを制限する段階が、該シートモーターの更なる前進作用を禁止する該コンピュータによって行われる、請求項３１に記載の方法。
【請求項３３】
該自動車が、該少なくとも一つのペダルを該シートに対して遠近方向に動かすためのペダル用モーターを更に具え、該方法が更に、
該シートを該最前部位置に保ったまま、該ペダルをシートに対して遠近方向に動かすために、該ペダル用モーターを作動させる段階を含んでいる、請求項３２に記載の方法。
【請求項３４】
更に、該シートに座った乗員が該最小安全間隙を侵害していることを該センサーが示した場合に、該エアバッグの展開を禁止する段階を含んでいる、請求項３２に記載の方法。
【請求項３５】
更に、該シートに座った乗員が該最小安全間隙を侵害していることを該センサーが示した場合に、該エアバッグの膨張速度を減少させる段階を含んでいる、請求項３２に記載の方法。
【請求項３６】
更に、該シートに座った乗員が該最小安全間隙を侵害していることを該センサーが示した場合に、該エアバッグを段階的に膨張させる段階を含んでいる、請求項３２に記載の方法。
【請求項３７】
該自動車が、衝突が起こったかどうかを決める衝突検出手段を具え、該方法が、
更に、該衝突検出手段からの入力に呼応して自動車を衝突後モードにする段階を具えていて、
該衝突モードは、
自動車のエンジンを停止する副次的段階、
自動車のドアのロックを解除する副次的段階、
自動車の窓を降下させる副次的段階、
又は援助を求める自動車用通信装置を作動させる副次的段階の少なくとも一つの副次的段階を具えている、請求項３２に記載の方法。
【請求項３８】
該第１エアバッグが、該自動車のハンドルアセンブリーに取り付けられている、請求項１に記載の自動車安全装置。
【請求項３９】
自動車の乗客室内に装着されている第１エアバッグと第１シートと共に使用するための該第１エアバッグと該第１シートとの間の距離を最小安全間隙に維持する装置であって、
該第１シートを該自動車に対して動き得るようにするために、かつ第１軸に沿って第１エアバッグに対して第１シートを最前部位置と最後部位置との間で移動させることを可能とするために、第１シート位置決め機構を具備する装置において、
該最前部位置は、第１シートに座った乗員又は運転者と第１エアバッグとの間の距離が該乗員又は運転者に対する最小安全間隙に等しくなる該第１シートの位置であって、該最前部位置から該第１シートが離なれていくと第１シートと第１エアバッグとの間の距離は増大するようになっており、
該第１エアバッグは、運転者用のハンドルアセンブリと、運転者以外の乗員用のダッシュボード装置とのいずれか一方に対して固定的に位置決めされていて、
該距離測定装置は、運転者又は乗客と該第１エアバッグとの間の距離を測定するためのものであり、そして少なくとも一つの距離センサーと、シートベルト位置センサーと、シート位置センサーとを含んでいて、
該プロセッサは該運転者又は乗客と該第１エアバッグとの間の該距離が該最小安全間隙より小さいかどうかを決定するためのものであり、
該最小安全間隙維持装置は、該最小安全間隙を提供するためにシート位置決め装置とペダル調節装置とを操作するようになっていて、
該第１シート位置決め機構が第１モータと、該第１モータに接続したシート位置スイッチを含んでいて、該シートスイッチを作動すると該第１シートが移動するようになっており、
該第１シートが該最前部位置にある場合、該第１シートを前方へ移動するべく該シートスイッチを作動しても、該第１シートは移動しなくて、その代りに、第２モータがペダル取付け部を該第１シートに向けて移動させるようになっていて、
該ペダル調節装置は、該ペダルと該運転者との間の距離をペダルの最前方位置と最後方位置と、の間で調節軸に沿って１２．７cm（５in）調節できるようになっていて、該ペダル調節軸は該第１軸に平行である装置。
【請求項４０】
該最小間隙距離が、該第１シートの背もたれの標準線と乗員の所定の突出との間の距離である、請求項３９に記載の装置。
【請求項４１】
該乗客の該所定の突出が固定距離である、請求項４０に記載の装置。
【請求項４２】
乗員の実際の突出を測定するために乗員の突出測定装置をさらに具備していて、該所定の突出が該実際の突出である、請求項４０に記載の装置。
【請求項４３】
該乗員の突出測定装置が、引出されたシートベルトの長さに基づいた該乗員の実際の突出を測定するべく作動可能である、請求項４２に記載の装置。
【請求項４４】
自動車の乗客室内に装着されている第１エアバッグと第１シートと共に使用するための該第１エアバッグと該第１シートとの間の距離を最小安全間隙に維持する装置であって、
該第１シートを該自動車に対して動き得るようにするために、かつ第１軸に沿って第１エアバッグに対して第１シートを最前部位置と最後部位置との間で移動させることを可能とするために、第１シート位置決め機構を提供するための手段を具備する装置において、
該最前部位置は、第１シートに座った乗員又は運転者と第１エアバッグとの間の距離が該乗員又は運転者に対する最小安全間隙に等しくなる該第１シートの位置であって、該最前部位置から該第１シートが離なれていくと第１シートと第１エアバッグとの間の距離は増大するようになっており、
該第１エアバッグは、運転者用のハンドルアセンブリと、運転者以外の乗員用のダッシュボード装置とのいずれか一方に対して固定的に位置決めされていて、
該距離測定装置は、運転者と該第１エアバッグとの間の距離を測定するためのものであり、そして少なくとも一つの距離センサーと、シートベルト位置センサーと、シート位置センサーとを含んでいて、
該プロセッサは該運転者又は乗客と該第１エアバッグとの間の該距離が該最小安全間隙より小さいかどうかを決定するためのものであり、
該最小安全間隙維持装置は、該最小安全間隙を提供するためにシート位置決め装置とペダル調節装置とを操作するようになっていて、
該第１シート位置決め機構が第１モータと、該第１モータに接続したシート位置スイッチを含んでいて、該シートスイッチを作動すると該第１シートが移動するようになっており、
該第１シートが該最前部位置にある場合、該第１シートを前方へ移動するべく該シートスイッチを作動しても、該第１シートは移動しなくて、その代りに、第２モータがペダル取付け部を該第１シートに向けて移動させるようになっていて、
該ペダル調節装置は、該ペダルと該運転者との間の距離をペダルの最前方位置と最後方位置と、の間で調節軸に沿って１２．７cm（５in）調節できるようになっていて、該ペダル調節軸は該第１軸に平行である装置。
【請求項４５】
該最小間隙距離が、該第１シートの背もたれの標準線と乗員の所定の突出との間の距離である、請求項４４に記載の装置。
【請求項４６】
該乗客の該所定の突出が固定距離である、請求項４５に記載の装置。
【請求項４７】
乗員の実際の突出を測定するための手段をさらに具備している、請求項４５に記載の装置。
【請求項４８】
該乗員の実際の突出を測定するための手段が、引出されたシートベルトの長さに基づいた該乗員の実際の突出を測定するべく作動可能である、請求項４７に記載の装置。
【外国語明細書】
2010173640000001.pdf